(57)【特許請求の範囲】
【請求項１】
グリップ部を構成するグリップ基材と、前記グリップ基材の外周面に巻き付けられた紐状部材と、前記グリップ基材を覆うためのグリップラバー部材とを備えたグリップ構造において、
前記グリップ基材の第１の領域においては、前記紐状部材がリング状又は螺旋状に巻き付けられ、（Ａ）前記第１の領域において、前記紐状部材がリング状に巻き付けられている場合には、前記第１の領域に隣接する第２の領域においては、前記紐状部材が螺旋状に巻き付けられ、（Ｂ）前記第１の領域において、前記紐状部材が螺旋状に巻き付けられている場合には、前記第１の領域に隣接する第２の領域においては、前記紐状部材がリング状に巻き付けられ、
前記グリップラバー部材は熱収縮性のラバー材料から形成されており、
前記グリップ基材に前記紐状部材を巻き付けた後に前記グリップラバー部材を装着し、前記グリップラバー部材に熱を加えて熱収縮させて前記グリップ基材の外周面に前記紐状部材及び前記グリップラバー部材を取り付け、前記第１の領域に前記紐状部材に対応してリング状又は螺旋状の凸状部を設け、前記第２の領域に前記紐状部材に対応して螺旋状又はリング状の凸状部を設けることを特徴とするグリップ構造。
【請求項２】
前記グリップ基材の先端側に前記第１の領域が設けられ、前記第１の領域に隣接する前記グリップ基材の元部側に前記第２の領域が設けられていることを特徴とする請求項１に記載のグリップ構造。
【請求項３】
前記紐状部材は、テープ部材又は接着剤によって前記グリップ基材の前記第１及び前記第２の領域の外周面に仮固定され、この仮固定状態において前記グリップラバー部材を装着し、前記グリップラバー部材に熱を加えて熱収縮させて前記グリップ基材の外周面に前記紐状部材及び前記グリップラバー部材を取り付けたことを特徴とする請求項１又は２に記載のグリップ構造。
【請求項４】
前記グリップ部は、釣竿の元部の元グリップ部及び／又はその中間部の中間グリップ部であり、前記グリップ基材は、前記元グリップ部を構成する元グリップ基材及び／又は前記中間グリップ部を構成する中間グリップ基材であることを特徴とする請求項１〜３のいずれかに記載のグリップ構造。
【発明の詳細な説明】
【技術分野】
【０００１】
本発明は、魚釣り用釣竿などに適用するグリップ構造に関する。
【背景技術】
【０００２】
魚釣り用釣竿などでは、手で握った際の滑止めを主目的としてグリップ部が設けられている。このグリップ部は、ラバー材料（例えば、ウレタンゴム材料）などから形成されたグリップ基材から構成され、魚釣り用釣竿では、釣竿の元部（基端部）に元グリップ基材が設けられ、また釣竿の種類によっては、その中間部に中間グリップ基材が設けられている。このようなグリップ基材は適度の弾性があって握り易く、また滑り難くなっている。
【０００３】
しかし、魚釣りをしていると、魚を触ったり水に濡れたりした手でグリップ基材を握ることがあり、このような場合、ラバー材料であっても滑り易く、魚釣り愛好家などからは、このような状態においても滑りを抑えたグリップ構造の実現が望まれていた。
【０００４】
このようなことから、グリップ基材の外周面に複数の異なる径の糸条を編み上げたものが提案されている（例えば、特許文献１参照）。このグリップ構造では、第１糸条として径が太く且つ柔軟性のあるものが用いられ、第２糸条として径が細く且つ剛性の有するものが用いられ、これら第１及び第２糸条を所要の通りに編み上げてグリップ基材の外周面に糸条編層が形成される。
【０００５】
この糸条編層でグリップ基材を覆ったグリップ構造では、径の異なる２種類の糸条を用いている故に、グリップ部の外周面に凹凸部が存在し、この凹凸部により滑り難いものとなっている。
【先行技術文献】
【特許文献】
【０００６】
【特許文献１】特開２０１３−５９２９４号公報
【発明の概要】
【発明が解決しようとする課題】
【０００７】
しかしながら、このようなグリップ構造を備えた釣竿でも、次の通り解決すべき問題がある。第１に、グリップ基材の外周面に径の異なる２種類の糸条を編み上げて糸条編層を形成するために、その製作に糸条編上げ装置などを必要とし、その製作が煩雑であるとともに、製作コストが高くなる問題がある。第２に、糸条編層でもってグリップ基材の外周面に凹凸部を設けるが、この糸条編層の凹凸部の形状を変えるのが容易でなく、例えば各釣人の手に合うように凹凸部を形成するのが容易でない。第３に、グリップ基材の外周面に糸条編層を設けるが、このような糸条編層を設けても滑りを充分に抑えることが難しく、滑りをより効果的に抑えることができるグリップ構造の提案が望まれている。このような問題は、釣竿以外のもの（例えば、各種ラケット、自転車のハンドルなど）に適用されるグリップ構造にも同様に存在する。
【０００８】
本発明の目的は、グリップ基材の外周面の形状を容易に調整することができるとともに、濡れた手などで握っても滑りを充分に抑えることができるグリップ構造を提供することである。
【課題を解決するための手段】
【０００９】
本発明の請求項１に記載のグリップ構造は、グリップ部を構成するグリップ基材と、前記グリップ基材の外周面に巻き付けられた紐状部材と、前記グリップ基材を覆うためのグリップラバー部材とを備えたグリップ構造において、
前記グリップ基材の第１の領域においては、前記紐状部材がリング状又は螺旋状に巻き付けられ、（Ａ）前記第１の領域において、前記紐状部材がリング状に巻き付けられている場合には、前記第１の領域に隣接する第２の領域においては、前記紐状部材が螺旋状に巻き付けられ、（Ｂ）前記第１の領域において、前記紐状部材が螺旋状に巻き付けられている場合には、前記第１の領域に隣接する第２の領域においては、前記紐状部材がリング状に巻き付けられ、
前記グリップラバー部材は熱収縮性のラバー材料から形成されており、
前記グリップ基材に前記紐状部材を巻き付けた後に前記グリップラバー部材を装着し、前記グリップラバー部材に熱を加えて熱収縮させて前記グリップ基材の外周面に前記紐状部材及び前記グリップラバー部材を取り付け、前記第１の領域に前記紐状部材に対応してリング状又は螺旋状の凸状部を設け、前記第２の領域に前記紐状部材に対応して螺旋状又はリング状の凸状部を設けることを特徴とする。
【００１０】
本発明の請求項２に記載のグリップ構造では、前記グリップ基材の先端側に前記第１の領域が設けられ、前記第１の領域に隣接する前記グリップ基材の元部側に前記第２の領域が設けられていることを特徴とする。
【００１１】
本発明の請求項３に記載のグリップ構造では、前記紐状部材は、テープ部材又は接着剤によって前記グリップ基材の前記第１及び前記第２の領域の外周面に仮固定され、この仮固定状態において前記グリップラバー部材を装着し、前記グリップラバー部材に熱を加えて熱収縮させて前記グリップ基材の外周面に前記紐状部材及び前記グリップラバー部材を取り付けたことを特徴とする。
【００１２】
更に、本発明の請求項４に記載のグリップ構造では、前記グリップ部は、釣竿の元部の元グリップ部及び／又はその中間部の中間グリップ部であり、前記グリップ基材は、前記元グリップ部を構成する元グリップ基材及び／又は前記中間グリップ部を構成する中間グリップ基材であることを特徴とする。
【発明の効果】
【００１３】
本発明の請求項１に記載のグリップ構造によれば、グリップ基材の外周面に紐状部材を巻き付けた後に、熱収縮性のラバー材料から形成されたグリップラバー部材を装着し、このグリップラバー部材に熱を加えてグリップ基材に取り付けるので、紐状部材及びグリップラバー部材をグリップ基部に確実に取り付けることができる。また、グリップ基材の第１の領域においては、紐状部材がリング状（又は螺旋状）に巻かれ、第２の領域においては、前記第１の領域において、前記紐状部材がリング状に巻き付けられている場合には、前記紐状部材が螺旋状に巻かれており、前記第１の領域において、前記紐状部材が螺旋状に巻き付けられている場合には、前記紐状部材がリング状に巻かれているので、グリップラバー部材を取り付けた取付状態においては、巻き付けた紐状部材によって、グリップラバー部材の第１の領域にリング状（又は螺旋状）の凸状部が生じ、その第２の領域に螺旋状（又はリング状）の凸状部が生じ、これらの凸状部によって、濡れた手などによって握った際の滑りを効果的に抑えることができるとともに、握った際の握り感触を良くすることができる。また、グリップ基材の第１の領域と第２の領域とが隣接しているので、グリップ部の握る部位を変える、例えば第１の領域から第２の領域にわたる部位を握る場合と、例えば第２の領域のみの部位を握る場合とで握り感触が異なり、握る部位を換えることにより好みのフィット感を得ることができる。更に、紐状部材を巻くという簡単な構成でもってグリップ部に滑り防止のための凸状部を設けることができ、この凸状部の大きさは紐状部材の太さでもって調整することができ、またこの凸状部の間隔は紐状部材の巻き間隔により調整することができ、使用者の一人一人に合ったグリップ部を容易に製作することができる。
【００１４】
また、本発明の請求項２に記載のグリップ構造によれば、グリップ基材の先端側に第１の領域が設けられ、この第１の領域に隣接するグリップ基材の元部側に第２の領域が設けられているので、グリップ部の先端側とその元部側とでフィット感が異なり、握る部位を変えることにより好みのフィット感を得ることができる。
【００１５】
また、本発明の請求項３に記載のグリップ構造によれば、紐状部材がテープ部材又は接着剤によってグリップ基材の第１及び第２の領域の外周面に仮固定されるので、グリップラバー部材を装着する際にも巻いた紐状部材がずれることがなく、グリップ部に所望形状の凸状部を設けることができる。
【００１６】
更に、本発明の請求項４に記載のグリップ構造によれば、グリップ部は、釣竿の元部の元グリップ部（及び／又はその中間部の中間グリップ部）であり、グリップ基材は、この元グリップ部を構成する元グリップ基材（及び／又は中間グリップ部を構成する中間グリップ基材）であるので、魚釣り用釣竿用に好適なグリップ構造を提供することができる。
【図面の簡単な説明】
【００１７】
【図１】本発明に従うグリップ構造の一実施形態を適用した魚釣り用釣竿の一部を示す正面図。
【図２】図１の釣竿の一部を分解して示す斜視図。
【図３】図１の釣竿のグリップ構造を示す断面図。
【図４】図４（ａ）〜（ｃ）は、図３のグリップ構造の製作を説明するための図。
【図５】グリップ構造の変形形態を示す断面図。
【発明を実施するための形態】
【００１８】
以下、添付図面を参照して、本発明に従うグリップ構造の一実施形態を魚釣り用釣竿に適用して説明する。図１及び図２において、図示の形態の魚釣り用釣竿は、棒状の竿本体２を備え、この竿本体２の元部（所謂、基部）にグリップ部４（即ち、元グリップ部）が設けられている。図示の形態では、竿本体２は一本の棒状部材から構成されているが、このようなものに限定されず、複数の部分が伸縮自在に装着されたものでもよく、或いは複数本（例えば２〜３本）に分割されたものを相互に着脱自在に連結するようにしたものでもよい。
【００１９】
この竿本体２の元部には、軸方向に元部側（図２において右方）に突出する芯端部６が設けられ、この芯端部６に、グリップ部４を構成するグリップ基材８（即ち、元グリップ基材）が取り付けられる（図３参照）。図３をも参照して、図示のグリップ基材８は中空円筒状部材から構成され、このようなグリップ基材８は、例えば合成樹脂材料、ラバー材料（例えば、ウレタンゴム材料）、コルク材料などから形成される。
【００２０】
このグリップ基材８の外周面には、紐状部材１０が螺旋状に巻き付けられている。紐状部材１０は、細長い紐、ワイヤなどから形成される。紐としては、例えば合成繊維（例えば、ポリアミド系合成繊維、ポリエステル系合成繊維など）、綿糸などを撚ったもの、或いは合成樹脂製のワイヤなどを用いることができる。この紐状部材１０は、後述の記載から理解される如く、グリップ部４に凸状部１２を設けるためのものであり、その径はこの凸状部１２の大きさに影響し、その巻き間隔はこの凸状部１２の間隔に影響し、握り易さ、滑りの抑制などを考慮すると、その径（外径）は２５〜３５ｍｍ程度であるのが好ましく、その巻き間隔は２０〜３０ｍｍであるのが好ましい。
【００２１】
この紐状部材１０は、例えば凧糸を用いることができ、テープ部材１４によりグリップ基材８の外周面に仮固定される。テープ部材１０としては、紙製テープ、セロハンテープなどを用いることができる。紐状部材１０の仮固定は、このようなテープ部材１４に代えて接着剤を用いて行うようにしてもよい。
【００２２】
グリップ基材８、紐状部材１０及びテープ部材１４は、グリップラバー部材１６により覆われている。このグリップラバー部材１６は、肉厚の薄いスリーブ状であり、グリップ基材８の外径よりも幾分大きい内径を有している。グリップラバー部材１６は、熱収縮性を有するラバー材料、例えばウレタンラバー材料などから形成されれる。グリップラバー部材１６としては、グリップ基材８の軸方向（図３において左右方向）の長さよりも幾分長いものを用いるのが好ましく、このようなものを用いることによって、図３に示すように、後述する如く熱収縮させた際に、その両端部がグリップ基材８の両端面を覆うようになる。このように構成されているので、グリップ基材８、紐状部材１０及びグリップラバー部材１６などがグリップ構造１７を構成する。
【００２３】
この形態では、グリップ基材８の軸方向外側にリング状の固定部材１８が取り付けられる。この固定部材１８は、芯端部６にグリップ基材８を装着した後にその外側に取り付けられ、例えば接着剤により芯端部６に固定される。このように固定部材１８を装着することにより、グリップ基部８はこの芯端部６に固定的に取り付けられる。尚、このグリップ基材８は、接着剤などを用いて固定するようにしてもよく、このように固定した場合、固定部材１８は省略することも可能である。
【００２４】
この固定部材１８の更に軸方向外側に尻栓部材２０が装着される。この尻栓部材２０の一端部は径方向外方に幾分膨らんで丸くなっており、その他端面には、軸方向に一端側に延びる円筒状凹部（図示せず）が設けられている。この尻栓部材２０は、その円筒状凹部に芯端部６の先端部を挿入することによってこの芯端部６に装着される。
【００２５】
この魚釣り用釣竿２では、上述したように、竿本体２の芯端部６にグリップ構造１７（即ち、紐状部材１０及びグリップラバー部材１６が装着されたグリップ基材８）、固定部材１８及び尻栓部材２０がこの順に軸方向外側に装着され（図２参照）、このように装着することによって、図１に示す通りの釣竿が製作される。
【００２６】
次に、主として図３及び図４を参照して、グリップ構造１７の製作について説明する。グリップ構造１７を製作するには、図４（ａ）に示すように、グリップ基材８の外周面に紐状部材１０を螺旋状に巻きながら、その外側（即ち、上側）からテープ部材１４を貼り付け、このようにして紐状部材１０をグリップ基材８に仮固定する（紐状部材１０の巻付け・仮固定工程）。この紐状部材１０は、例えば竿本体２の元部から先端部に向けて時計方向に巻進むように巻き付けることができ、このように巻き付けたものは右利き使用者用のグリップ構造１７として好適なものとなり、また竿本体２の元部から先端部に向けて半時計方向に巻進むように巻き付けるようにしてもよく、このように巻き付けたものは左利き使用者用のグリップ構造１７として好適なものとなる。
【００２７】
グリップ基材８に紐状部材１０を上述したようにして仮固定した後に、図４（ｂ）で示すように、グリップラバー部材１６を例えば矢印２２で示す方向に移動させてグリップ基材８、紐状部材１０及びテープ部材１４を覆う（グリップラバー部材１６の装着工程）。このように覆うと、図４（ｃ）で示すように、グリップラバー部材１６の軸方向の長さがグリップ基材８の軸方向の長さよりも長いために、グリップラバー部材１６の両端部がグリップ基材８の両端から両側に幾分突出した状態となる。
【００２８】
そして、グリップラバー部材１６でこのように覆った状態で、図４（ｃ）で示すように、例えばドライヤー２４からの熱風を矢印２６で示すようにグリップラバー部材１６の外周面に吹き付ける。このように熱風を吹き付けると、図３に示すように、熱風からの熱によってグリップラバー部材１６が熱収縮してグリップ基材８に密着して固定され、このように密着することによって、紐状部材１０及びテープ部材１４もグリップ基材８に密着固定され、このようにしてグリップ基部８の外周面に紐状部材１０及びグリップラバー部材１４が所要の通りに取り付けられる。
【００２９】
このようの製作されたグリップ構造１７では、図３に示すように、グリップ基材８に巻き付けた紐状部材１０に対応して、グリップ部４（具体的には、グリップラバー部材１６）の一部に凸状部１２が生じ、この凸状部１２によって、濡れた手などによって握った際の滑りを効果的に抑えることができる。また、紐状部材１６を巻くという簡単な構成でもってグリップ部４に滑り防止のための凸状部１２を設けることができる。また、上述した製作方法から理解される如く、この凸状部１２の大きさは紐状部材１０の太さでもって調整することができ、またこの凸状部１２の間隔は紐状部材１０の巻き間隔により調整することができ、各使用者に合ったグリップ構造１７を容易に製作することができる。
【００３０】
次に、図５を参照して、グリップ構造の変形形態について説明する。この変形形態のグリップ構造では、グリップ部に設けられる凸状部が２種類の形態のものから構成されている。図５において、このグリップ構造１７Ａにおいては、その先端側（図５において左端側）の第１領域Ｐには、第１形態の凸状部３２が設けられ、その元部側（図５において右端側であって、上述した固定部材１８（図１及び図２参照）が装着される側）の第２領域Ｑに第２形態の凸状部３４が設けられ、図５に示すように、グリップ構造１７Ａ第１の領域Ｐとその第２の領域Ｑとは隣接して設けられている。
【００３１】
第１領域Ｐにおいては、第１紐状部材１０Ａがグリップ基材８にリング状に巻き付けられ、また第２領域Ｑにおいては、第２紐状部材１０Ｂがグリップ基材８に上述したと同様に螺旋状に巻き付けられ、これら第１及び第２紐状部材１０Ａ，１０Ｂがテープ部材１４により貼付される。そして、これらグリップ基材８並びに第１及び第２紐状部材１０Ａ，１０Ｂを覆うようにグリップラバー部材１６がグリップ基材８の外周面に取り付けられ、その取付は、上述したと同様に、その熱収縮により行われている。
【００３２】
このように構成されているので、リング状に巻き付けられた第１紐状部材１０Ａに対応して、第１領域Ｐに第１の形態の凸状部３２がリング状に設けられ、また螺旋状に巻き付けられた第２紐状部材１０Ｂに対応して、第２領域Ｑに第２形態の凸状部３４が螺旋状に設けられる。この変形形態のその他の構成は、上述した実施形態におけるグリップ構造と実質上同一である。
【００３３】
この変形形態では、第１領域Ｐと第２領域Ｑとで凸状部３２，３４の形態が異なっているので、グリップ部を握った際のフィット感が握る部位によって異なり、握る部位を変えることによって、好みのフィット感を得ることができる。即ち、図５から理解されるように、例えば第１の領域Ｐから第２の領域Ｑにわたる部位を握る場合と、例えば第２の領域Ｑのみの部位を握る場合とで握り感触が異なり、このようにグリップ部の握る部位を換えることにより好みのフィット感を得ることができる。
【００３４】
尚、この変形形態では、第１領域Ｐにリング状の第１形態の凸状部３２を１つ設けているが、この第１領域Ｐに間隔をおいて２つ以上の第１形態の凸状部３２を設けるようにすることもできる。
【００３５】
また、この変形形態では、第１領域Ｐにリング状の第１形態の凸状部３２を設け、第２領域Ｑに螺旋状の第２形態の凸状部３４を設けているが、このような構成とは反対に、第１領域Ｐに螺旋状の第２形態の凸状部を設け、第２領域Ｑにリング状の第１形態の凸状部を１つ又は２つ以上設けるようにしてもよい。
【００３６】
以上、本発明に従うグリップ構造の実施形態を説明したが、本発明はこのような実施形態に限定されることなく、本発明の範囲を逸脱することなく種々の変更乃至修正が可能である。
【００３７】
例えば、上述した実施形態では、釣竿の元部のグリップ部４、即ち元グリップ部に本発明のグリップ構造を適用して説明したが、釣竿の種類によっては竿本体の中間部にもグリップ部（即ち、中間グリップ部）が設けられたものがあり、このような釣竿においては、中間部のグリップ部、即ち中間グリップ部に本発明のグリップ構造を適用するようにしてもよく、このようなグリップ構造は、使い勝手、使用上の好み、使用の際のフィット感などに応じて、釣竿の元グリップ部（この場合、元グリップ基材に紐状部材が巻き付けられる）及び／又は中間グリップ部（この場合、中間グリップ基材に紐状部材が巻き付けられる）に設けることができる。
【００３８】
また、例えば、上述した実施形態では、本願発明を魚釣り用釣竿に適用して説明したが、本発明のグリップ構造はこのような釣竿に限定されず、釣竿以外のもの、例えば各種ラケット（例えば、テニス用、バトミントン用などのラケット）、自転車のハンドルなどに広く適用することができる。
【符号の説明】
【００３９】
２  竿本体
４  グリップ部
８  グリップ基材
１０、１０Ａ，１０Ｂ  紐状部材
１２，３２，３４  凸状部
１４  テープ部材
１６  グリップラバー部材
１７，１７Ａ  グリップ構造
Ｐ  第１領域
Ｑ  第２領域
【図１】
0006465431.tif 000002
【図２】
0006465431.tif 000003
【図３】
0006465431.tif 000004
【図４】
0006465431.tif 000005
【図５】
0006465431.tif 000006